(57)【要約】      （修正有）【課題】カーテンレールを、窓枠や壁から取り外さずとも簡単に、カーテンランナーの取り付けおよび、取り外しが出来るカーテンレールを提供する。【解決手段】カーテンレールの溝３に、カーテンランナーを容易に脱着できる大きさの切り込み４を設け、脱着時以外は、簡単にカーテンランナーが外れない様に、その切り込みを覆うことができる蓋を取り付けてカーテンレールとする。また、その切り込みを覆うことができる蓋に、ネジ止め可能な様にネジ穴６を施し、ネジ止めすることにより、簡単に蓋がずれない様に工夫する。【選択図】図３
0003158979.tif 000002
【実用新案登録請求の範囲】
【請求項１】
カーテンレール（１）の溝（３）に、カーテンランナー（２）を容易に脱着できる様に切り込み（４）を設け、さらにスライドさせてその切り込みを覆うことができる蓋（５）を取り付けたカーテンレール（１）。
【請求項２】
請求項１のカーテンレール（１）におけるスライドさせてその切り込みを覆うことができる蓋（７）に、ネジ止めが可能な様にネジ穴（６）を施したもの。
【考案の詳細な説明】
【技術分野】
【０００１】主として日用雑貨や住宅設備に関する商品を販売している、ホームセンターや家具店、コンビニエンスストア等で売られている金属製、木製、プラスチック製のカーテンレールに関する。
【背景技術】
【０００２】カーテンレール（１）にカーテンを引っかける金具を通すカーテンランナー（２）は、あらかじめ組み込まれており、一度壁や窓枠に木ネジ等で取り付けてしまうと、カーテンランナー（２）が破損した場合や、カーテンを新調した際に、引っかけるカーテンランナー（２）の数が不足してしまった場合に、一端、壁や窓枠から、カーテンレール（１）を、工具を使って取り外してから、カーテンレール（１）を分解し、カーテンランナー（２）を追加取り付けする手間が必要であった。そのため、破損を見越して、あらかじめ多めにカーテンランナーをカーテンレールに取り付けておいても良いが、その場合、カーテンを開け閉めする際に、引っかかりやすくなることに加え、窓の両脇にカーテンを束ねた際にレール上でカーテンライナー（２）が余分にかさばるため、ふくらみ見栄えも悪くなる。
【考案の開示】
【考案が解決しようとする課題】
【０００３】そこで、本校案によれば、カーテンランナー（２）を追加で取り付けする際に、いちいち壁や窓枠から、カーテンレール（１）を、工具を使って取り外さなくても、カーテンランナー（２）を容易に追加および取り外しを取り付け可能にするものである。
【課題を解決するための手段】
【０００４】カーテンレール（１）の溝（３）に、カーテンランナー（２）を容易に脱着できる大きさの切り込み（４）を設け、脱着時以外は、簡単にカーテンランナー（２）が外れない様に、その切り込みを覆うことができる蓋（５）を取り付けたカーテンレール（１）。
【考案を実施するための最良の形態】
【０００５】請求項１のカーテンレール（１）におけるスライドさせてその切り込みを覆うことができる蓋（４）に、ネジ止め可能な様にネジ穴（６）を施し、ネジ止めすることにより、簡単に切り込みを覆うことができる蓋（５）がずれない様に工夫したもの。ねじ穴の位置は〔図２〕の様に上向きでも、〔図３〕の様に蓋の側面でも、蓋がきちんと固定できれば良い。
【実施例】
【０００６】〔図１〕が本考案の請求項１の実施例で、〔図２〕および〔図３〕が本考案の請求項２の実施例である。
【考案の効果】
【０００７】本校案によれば、カーテンランナー（２）が破損した場合や、カーテンを新調した際に、引っかけるカーテンランナー（２）の数が不足してしまった場合でも、一端、壁や窓枠から、カーテンレール（１）を、工具を使って取り外してから、カーテンランナー（２）を追加取り付けする手間が省け非常に便利である。とにかく、現在市販されているカーテンレールとカーテンランナーの場合、破損した一個のカーテンランナーを交換する場合でも、ドライバーでネジを最低でも８本程度外す必要があり、非常に面倒である。まして非力な女性の場合、作業も困難である。さらに、何度もネジを外したり、つけたりしていると、ネジ山がゆるくなり、カーテンの重さだけでもネジが抜け、カーテンレールが脱落するトラブルなどが出てくる恐れもある。特に石膏ボードの壁などは要注意である。また、簡単にカーテンランナーが脱着できる様になったことで、破損時に備えて余分にカーテンランナーを取り付けておく必要もなくなり、余分なカーテンランナーがカーテンレール上で障害となり引っかかることもなく、カーテンの開け閉めもスムーズになる。
【図面の簡単な説明】
【０００８】
【図１】本考案
【図２】本考案の請求項１の実施例
【図３】本考案の請求項２の実施例
【符号の説明】
【０００９】カーテンレール…（１）    カーテンランナー…（２）    溝…（３）
カーテンランナー出し入れ用切り込み…（４）    蓋…（５）    ねじ穴…（６）
ねじ穴付きタイプの蓋…（７）
蓋を閉じる前の本考案請求項１によるカーテンレール…（８）
蓋を閉じた本考案請求項１によるカーテンレール…（９）
蓋を閉じる前の本考案請求項２によるカーテンレール…（１０）
蓋を閉じた本考案請求項２によるカーテンレール…（１１）
ねじ穴が側面にある本考案請求項２によるカーテンレール…（１２）
側面にねじ穴付きタイプの蓋…（１３）
ねじ穴が側面にある蓋を閉じる前の本考案請求項２によるカーテンレール…（１４）
ねじ穴が側面にある蓋を閉じた本考案請求項２によるカーテンレール…（１５）
【図１】
0003158979.tif 000003
【図２】
0003158979.tif 000004
【図３】
0003158979.tif 000005
【手続補正書】
【提出日】平成21年7月14日(2009.7.14)
【手続補正１】
【補正対象書類名】実用新案登録請求の範囲
【補正対象項目名】請求項２
【補正方法】変更
【補正の内容】
【請求項２】
請求項１のカーテンレール（１）におけるスライドさせてその切り込みを覆うことができる蓋（７）に、ネジ止めが可能な様にネジ穴（６）を施したカーテンレール（１）。
【手続補正書】
【提出日】平成21年9月9日(2009.9.9)
【手続補正１】
【補正対象書類名】実用新案登録請求の範囲
【補正対象項目名】請求項２
【補正方法】変更
【補正の内容】
【請求項２】
請求項１のカーテンレール（１）におけるスライドさせてその切り込みを覆うことができる蓋（５）に、ネジ止めが可能な様にネジ穴（６）を施した蓋（７）を取り付けたカーテンレール（１）。
【手続補正２】
【補正対象書類名】明細書
【補正対象項目名】０００５
【補正方法】変更
【補正の内容】
【０００５】請求項１のカーテンレール（１）におけるスライドさせてその切り込みを覆うことができる蓋（５）に、ネジ止め可能な様にネジ穴（６）を施し、ネジ止めすることにより、簡単に切り込みを覆うことができる蓋（５）がずれない様に工夫を施した蓋（７）を取り付けたカーテンレール（１）。レジ穴の位置は（図２）の様に上向きでも、（図３）の様に蓋の側面でも蓋がきちんと固定できれば良い。
【手続補正３】
【補正対象書類名】図面
【補正対象項目名】図２
【補正方法】変更
【補正の内容】
【図２】
0003158979.tif 000006
【手続補正書】
【提出日】平成21年12月2日(2009.12.2)
【手続補正１】
【補正対象書類名】実用新案登録請求の範囲
【補正対象項目名】請求項２
【補正方法】変更
【補正の内容】
【請求項２】
請求項１の蓋（５）の代わりに、カーテンレール（１）の溝（３）に、カーテンランナー（２）を容易に脱着できるように切り込み（４）を設け、ネジ止めが可能な様にネジ穴（６）が施されたねじ穴付きタイプ蓋（７）で覆ったカーテンレール。
【手続補正書】
【提出日】平成22年2月5日(2010.2.5)
【手続補正１】
【補正対象書類名】実用新案登録請求の範囲
【補正対象項目名】請求項２
【補正方法】変更
【補正の内容】
【請求項２】
カーテンレール（１）の溝（３）に、カーテンランナー（２）を容易に脱着できるように切り込み（４）を設け、さらに、スライドさせて前記切り込み（４）を覆うことができ、かつ、ネジ止めが可能な様にネジ穴（６）が施されたネジ穴付きタイプ蓋（７）を取り付けたカーテンレール（１）。